(57)【要約】      （修正有）【課題】ヘッドカバーをプレーの邪魔にならないように後身頃側で保管すると共に、取付時にはしっかりと目で確認しながら取付できるようにする。【解決手段】ゴルフクラブ３のヘッド４を被覆するヘッドカバー２に係合部１０が設けられ、該ヘッドカバー２をプレーヤーＰの衣服に取り付けて保管できるように、プレーヤーＰの衣服に取り付けられた保持具本体９に、該係合部１０と係脱自在に係合する被係合部２２が設けられているヘッドカバー保持具であって、前記保持具本体９は、一端が衣服の後身頃側に固定具１７を介して固定され、他端が衣服の前身頃側に回し込めるように一端を中心として揺動自在な自由端とされており、一端から他端までの長さが少なくとも１００ｍｍ以上とされている。【選択図】図４
0003128053.tif 000002
【実用新案登録請求の範囲】
【請求項１】
ゴルフクラブ（３）のヘッド（４）を被覆するヘッドカバー（２）に係合部（１０）が設けられ、該ヘッドカバー（２）をプレーヤー（Ｐ）の衣服に取り付けて保管できるように、プレーヤー（Ｐ）の衣服に取り付けられた保持具本体（９）に、該係合部（１０）と係脱自在に係合する被係合部（２２）が設けられているヘッドカバー保持具であって、
前記保持具本体（９）は、一端が衣服の後身頃側に固定具（１７）を介して固定され、他端が衣服の前身頃側に回し込めるように一端を中心として揺動自在な自由端とされており、一端から他端までの長さが少なくとも１００ｍｍ以上とされていることを特徴とするヘッドカバー保持具。
【請求項２】
前記保持具本体（９）は、前記固定具（１７）に連結された基端部材（２３）と前記被係合部（２２）を有する先端部材（２４）とで構成されており、前記基端部材（２３）と先端部材（２４）との間に、前記先端部材（２４）と基端部材（２３）との距離を一定に規制する伸縮連結手段（２５）が設けられていることを特徴とする請求項１に記載のヘッドカバー保持具。
【請求項３】
前記保持具本体（９）は、他端側に衣服の前身頃側と係脱自在に係合する係止具（２７）が備えられていることを特徴とする請求項１または２に記載のヘッドカバー保持具。
【考案の詳細な説明】
【技術分野】
【０００１】
本考案は、ゴルフクラブのヘッドカバーをそのクラブの使用中において衣服に取り付けて保管するヘッドカバー保持具に関するものである。
【背景技術】
【０００２】
ゴルフクラブのヘッドは未使用時にはヘッドカバーを被せて保護されることが多い。これはゴルフクラブにおいてはヘッドが特に精度の高いショットを得る上で極めて重要な部分であるからであり、衝撃による損傷からヘッドを保護する観点から設けられている。しかし、ショットでゴルフクラブを使用する際にはヘッドカバーは一時的にでも取り外す必要があり、その際にはヘッドカバーを保管する場所が必要とされる。
例えば、第１打目のようにゴルフバックやカートがプレーヤーのそばにあるときは、前記ヘッドカバーをゴルフバックやカートに保管することができるし、キャディに預けることもできる。しかし、第２打目以降はプレーヤーがヘッドカバーの装着された任意のクラブを持ったままティーグランドやグリーン上まで移動することになる。この場合には取り外したヘッドカバーを離れた所に一時的に置いてプレーしたり、ポケットに収納したりすることになる。そのため、置き忘れたり、気が付かないうちにポケットから落として紛失してしまったりすることも多くなる。
【０００３】
そこで、ヘッドカバーを一時的に保管（保持）する保持具が種々考えられている。例えば、特許文献１には、ヘッドカバーに係着具を設けると共に、競技者の衣服に前記係着具に係着する被係着具を備える保持具を設け、ヘッドカバーを衣服に一時的に取付固定して保管できるようにしたものが記載されている。
【特許文献１】実用新案登録第３１０１７０３号
【考案の開示】
【考案が解決しようとする課題】
【０００４】
一般に前記ヘッドカバーをからだに取り付けて保管する場合は、プレーヤーの後身頃側に取り付けられる。これは、前身頃側で取り付けて保持するとプレーの邪魔になる可能性が高く、集中力を必要とするゴルフにおいては嫌われやすいからである。
従って、特許文献１でも、面ファスナー式やスナップファスナー式の被係着部がズボンやベルトの後身頃側に巻き付けられるか、あるいはズボンの後ポケットに挿し込み固定されており、いずれの場合でも被係着部は後身頃側に固定されており動かすことができない。
【０００５】
そのため、特許文献１のヘッドカバーにおいては、からだが邪魔になって目で確認しながら取り付けできないという問題が生じる。つまり、ヘッドカバーを手探りで保持具に取り付けることになるため、係着部と被係着部との位置合わせが十分でない場合が多くなり、付け方が甘くなって気が付かないうちにヘッドカバーを落として紛失してしまう可能性がある。
つまり、従来のヘッドカバー保持具には、ヘッドカバーをプレーの邪魔にならないように後身頃側に保管できるものでありながら、前身頃側でしっかりと目で確認しながら取付できるものがなかった。
【０００６】
本考案は、このような問題点に鑑みて為されたものであり、その目的はヘッドカバーをプレーの邪魔にならないように後身頃側で保管するものでありながら、取付時には保持具本体を前身頃側に回し込んで、しっかりと目で確認しながら取付できるヘッドカバー保持具を提供することにある。
【課題を解決するための手段】
【０００７】
前記目的を達成するため、本考案は次の手段を講じた。即ち、
ゴルフクラブのヘッドを被覆するヘッドカバーに係合部が設けられ、該ヘッドカバーをプレーヤーの衣服に取り付けて保管できるように、プレーヤーの衣服に取り付けられた保持具本体に、該係合部と係脱自在に係合する被係合部が設けられているヘッドカバー保持具であって、
前記保持具本体は、一端が衣服の後身頃側に固定具を介して固定され、他端が衣服の前身頃側に回し込めるように一端を中心として揺動自在な自由端とされており、一端から他端までの長さが少なくとも１００ｍｍ以上とされている。
【０００８】
前記保持具本体は、前記固定具に連結された基端部材と前記被係合部を有する先端部材とで構成されており、前記基端部材と先端部材との間に、前記先端部材と基端部材との距離を一定に規制する伸縮連結手段が設けられているのが好ましく、また前記保持具本体は、他端側に衣服の前身頃側と係脱自在に係合する係止具が備えられているのが好ましい。
これによって、ヘッドカバーを衣服の後身頃側に固定された保持具本体に係合しているので、ヘッドカバーをプレーの邪魔にならないように後身頃側で保管することができ、取付時には保持具本体の一端を後身頃側に固定したまま他端を前身頃側に回し込めるので、しっかりと目で確認しながらヘッドカバーを取付できる。
【０００９】
また、保持具本体を前記固定具に連結された基端部材と前記被係合部を有する先端部材とで構成し、前記基端部材と先端部材との間に伸縮連結手段を設けることで、取付時には固定された基端部材に対して伸縮連結手段により先端部材を伸ばして前身頃側に回し込めるので、しっかりと目で確認しながらヘッドカバーを取付でき、取付後には伸縮連結手段により先端部材を元の状態に復帰させることができるので、取付後の動作（ヘッドカバーの保管）をスムーズに行える。
さらに、前記保持具本体は衣服の前身頃側のベルト通しに係脱自在に係止する係止具が備えられており、他端を前身頃側に回し込んだ状態で（一時）固定することができるので、片手にゴルフクラブを持ったままでもヘッドカバーの取付を余裕を持って行うことができる。
【考案の効果】
【００１０】
本考案により、ヘッドカバーをプレーの邪魔にならないように後身頃側で保管するものでありながら、取付時には保持具本体を前身頃側に回し込んで、しっかりと目で確認しながら取付できるヘッドカバー保持具を提供できる。
【考案を実施するための最良の形態】
【００１１】
以下に本考案のヘッドカバー保持具１を図面に基づき説明するが、ヘッドカバー保持具１の説明に先立ちこのヘッドカバー保持具１に取り付けられるヘッドカバー２を説明する。
なお、以下において、「体側面」とは衣服（主にズボン）の左右側部に上下に亘って設けられた脇縫い目（前身頃と後身頃との間の縫い目）から前後方向の衣服表面に沿って５０ｍｍ以内の範囲を云い、「前身頃側」とは上記体側面を除くからだの前側の部分を云い、「後身頃側」とは上記体側面を除くからだの後側を云う。
【００１２】
前記ヘッドカバー２は、ゴルフクラブ３を使用していない場合にはそれぞれのゴルフクラブ３のヘッド４を被覆しており、これらのヘッド４同士が衝突して損傷を受けないように保護している。一方、ゴルフクラブ３の使用時（ショット時）には、該ヘッドカバー２は取り外され、ヘッドカバー保持具１に取り付けて保管される。
前記ヘッドカバー２は、ドライバー、スプーンなどのウッド、サンドウェッジ、ピッチングウェッジなどのアイアン、またはパターなどのゴルフクラブ３に用いられるものであり、収容するゴルフクラブ３の種類に合わせてそれぞれ異なる形状や構造に形成されている。そこで、以下にパターとウッドとを例にとってそれぞれに用いられるヘッドカバー２を説明する。
【００１３】
図１はパター３ａのヘッドカバー２ａを示している。前記ヘッドカバー２ａは、カバー本体５ａとこのカバー本体５ａの蓋部６ａとを備えている。該カバー本体５ａは開口部１２ａを有する箱状であり、この箱の内側にパター３ａのヘッド４ａを収容可能となっている。前記蓋部６ａは、カバー本体５ａの側壁（前記開口部１２ａを上方に向けた場合の箱状のカバー本体５ａの前後左右の側面に形成される壁面）の一つを他の開口部１２ａより突出形成し、この突出した部分を開口部１２ａを閉鎖するように折り返して形成されている。該蓋部６ａは、先端部が前記開口部１２ａを超えて前記側壁の向かいの側壁を覆うように設けられており、また先端部の縁には凹部８ａが形成されている。
【００１４】
前記カバー本体５ａは、蓋部６ａで開口部１２ａを閉鎖した時に、該蓋部６ａの先端部と重なり合う側壁に、前記凹部８ａに対応して凹状部１３ａが形成されている。前記蓋部６ａがカバー本体５ａの側壁に重ね合わされた状態では、前記凹部８ａと凹状部１３ａとは互いに対向し、凹部８ａと凹状部１３ａとでヘッドカバー２ａの内外を連通する孔部が形成される。この孔部にパター３ａのシャフト７ａが挿通されると、該凹部８ａと凹状部１３ａとによりシャフト７ａが両側からしっかりと挟持固定できるようになっている。
前記カバー本体５ａは、該蓋部６ａの先端部により覆われる側壁（突出形成された前記側壁から開口部１２ａを挟んで向かい側の側壁）の外表面（前記箱の外側に面する表面）に係合部１０ａが設けられており、この係合部１０ａは雌雄係合要素の一方で構成されている。これに対して、前記蓋部６ａの先端部の内表面には蓋係止部１１ａが設けられ、この蓋係止部１１ａは雌雄係合要素の他方で構成されており、前記係合部１０ａと係合可能となっている。よって、前記カバー本体５ａにパター３ａのヘッド４ａを収容し、前記蓋係止部１１ａを係合部１０ａに係合して蓋部６ａでカバー本体５ａの開口部１２ａを閉鎖すると、前記パター３ａはシャフト７ａを外側に突き出しつつヘッド４ａをヘッドカバー２ａにより被覆された状態で収容される。
【００１５】
図２はパター３ｂ用ではあるが、意匠性に富む外観形状（本実施形態では平面視）を有するように、平面視略ハート形の箱状のヘッドカバー２ｂを示している。該ヘッドカバー２ｂは箱内部が中空に形成されており、この中空部分にゴルフクラブ３ｂを収容可能としている。該ヘッドカバー２ｂは前記ハート形を上下に二つに分割したような形状となっており、分割下片が略三角板状のカバー本体５ｂとされ、分割上片が蓋部６ｂとされている。前記蓋部６ｂはカバー本体５ｂに設けられた枢支軸１４を中心として回動自在に設けられており、この蓋部６ｂでカバー本体５ｂの開口部１２ｂを閉鎖可能となっている。また、該ヘッドカバー２ｂは前記カバー本体５ｂの該蓋部６ｂに当接する縁部に凹部８ｂが、また蓋部６ｂには該カバー本体５ｂに当接する縁部に凹状部１３ｂが形成されている。従って、前記蓋部６ｂの閉鎖時には前記ヘッドカバー２ａの場合と同様に凹部８ｂと凹状部１３ｂとが割面状に重なって孔部を形成し、カバー本体５ｂの凹部８ｂと蓋部６ｂの凹状部１３ｂとでシャフト７ｂをしっかりと挟持固定可能となっている。さらに、ヘッドカバー２ｂのいずれかの外面には、前記雌雄係合要素の一方で構成された係合部１０ｂが設けられている。
【００１６】
図３はウッド３ｃのヘッドカバー２ｃを示している。前記ヘッドカバー２ｃは、ウッド３ｃの形状に合わして基端側（図３においては下端側）が細首の筒状とされ、基端側から先端側に向かって先太り状に形成されており、先端側（図３においては上端側）が基端側より膨大なヘッド収容部２８とされている。該ヘッド収容部２８にはスライドファスナー１５が設けられており、このスライドファスナー１５を開けるとウッド３ｃのヘッド４ｃを上側に引き抜けるようになっている。また、ヘッドカバー２ｃの外面には、前記雌雄係合要素の一方で構成された係合部１０ｃが設けられている。
【００１７】
なお、前記ヘッドカバー２（ヘッドカバー２ａ、２ｂ、２ｃを総称してヘッドカバー２という）の係合部１０（係合部１０ａ、１０ｂ、１０ｃを総称して係合部１０という）に用いられる雌雄係合要素は、互いが係脱自在に係合できる係合要素であればどのような係合要素でも良い。これらの係合要素には例えば、ボタンとボタン挿通用の孔部や、フックとフックを掛けられる金具や、互いに引き合う磁石などを用いることができる。しかしながら、ヘッドカバー２を構成する部材には合成繊維、合成皮革などが主に用いられることに鑑みれば、例えば面ファスナー、スナップファスナーなどを用いるのが最も良く、第１実施形態では面ファスナーの雄係合要素（先端が鈎状に曲がった突起を備える係合要素）と雌係合要素（鈎状突起の鈎部を掛止できる係合要素）とで前記雌雄係合要素を構成している。
【００１８】
つまり、上記図１〜図３のヘッドカバー２にそれぞれ設けられる係合部１０は、面ファスナーで構成される前記雌雄係合要素の一方で構成されており、雌雄係合要素の他方と係脱自在に係合可能となっている。また、前記ヘッドカバー保持具１には雌雄係合要素の他方で構成された被係合部２２が設けられ、ヘッドカバー２を係脱自在に取り付け可能とされている。
図４に示されるように、前記ヘッドカバー保持具１は、プレーヤーＰの後身頃側のベルト通し１６に係脱自在に取り付けられる固定具１７と、該固定具１７と一端側（図４における上端側）で連結している帯状の保持具本体９とで構成されており、該保持具本体９の表面には被係合部２２が設けられ、その上には前記ヘッドカバー２（図４ではヘッドカバー２ａを代表にとって図示している）が係合されている。
【００１９】
図５に示されるように、前記固定具１７は、基端（図５に示された固定具１７の下端）から先端にかけて折曲がった曲線状に形成されたフック本体１８と、該フック本体１８の基端側にその基端側が枢支されると共にこの基端側に対して先端側が揺動自在とされた爪１９とを有しており、この爪１９はバネ（図示略）で先端を閉方向（フック本体１８の先端に爪１９の先端が接当する方向）に付勢されている。
前記保持具本体９は、一端（図５の上端）に管状部２０が設けられ、この管状部２０を介して前記固定具１７が連結されており、また管状部２０に連設して上下に長い帯状部２１が形成されている。また、該帯状部２１の他端（図５の下端）は、一端が固定具１７を介してベルト通し１６に固定された一端に対して揺動自在となっており、一端（固定具１７側）の固定端に対する自由端を構成している。よって、他端を一端に対して揺動させて保持具本体９の姿勢を自由に変更させることができるようになっている。さらに、該帯状部２１は一端から他端までの長さが少なくとも１００ｍｍ以上、好ましくは１００〜２００ｍｍとされており、一端をプレーヤーＰの後身頃側に固定したまま他端を体側面を差し渡すように前身頃側まで伸ばせるようになっている。なお、該帯状部２１は一端から他端までの長さを１００ｍｍ以上とすることで、他端を前身頃に回し込むことができ、また２００ｍｍ以下とすることで他端がショット中に振れてプレーヤーＰの集中力を低下させるのを防止できる。
【００２０】
前記帯状部２１の表裏のいずれかの面（本実施形態ではおもて面）には前記被係合部２２が設けられている。前記被係合部２２は前記雌雄係合要素の他方で構成されており、前記係合部１０と係脱自在に係合可能となっている。該被係合部２２は、前記帯状部２１のおもて面の外縁を除く中央側に縫着または接着等により取り付けられている。また、前記帯状部２１のうら面（被係合部２２が設けられる面とは反対側の面）にはクッション性を有する当て具１８が設けられており、保持具本体９がプレーヤーＰに当たった場合の衝撃を緩和し、プレーヤーＰの競技への集中力を低下せしめないようにしている。
【００２１】
図５に示されるように、前記ヘッドカバー保持具１にヘッドカバー２を取り付ける場合は、前記保持具本体９は当初後身頃側のベルト通し１６から垂下されている位置（中立位置）にある。よって、自由端である保持具本体９他端を持って体側面を差し渡すようにプレーヤーＰの前身頃側まで引っ張る（回し込む）と、該保持具本体９は衣服（ズボン）に固定された一端を中心に揺動自在とされており、また一端から他端までの長さが少なくとも１００ｍｍ以上とされているので、保持具本体９他端がプレーヤーＰの前身頃側に届き、前身頃側において保持具本体９の被係合部２２にヘッドカバー２の係合部１０を互いの位置がずれないように目で確認しながら取り付けることができ、保持具本体９にヘッドカバー２を確実に係合させることができる。
【００２２】
図６に示されるように、ヘッドカバー２の被係合部２２に対する係合が済めば、保持具本体９の他端を離すだけで保持具本体９は後身頃側のベルト通し１６から垂下されていた中立位置に自動復帰し、後身頃側でヘッドカバー２が保管されるので、プレーヤーＰの競技（ショット）の邪魔となることがない。
図７に示されるように、第２実施形態のヘッドカバー保持具１は、前記帯状体２１が固定具１７に連結された基端部材２３と、自由端側に（基端部材２３から離れて）設けられる先端部材２４と、これらの基端部材２３と先端部材２４との間に設けられる伸縮連結手段２５と、で構成されている。
【００２３】
前記基端部材２３及び先端部材２４には該被係合部２２が設けられており、この被係合部２２は第１実施形態同様に前記雌雄係合要素の他方で構成されている。よって、該被係合部２２にはヘッドカバー２の係合部１０を係合可能となっている。
前記伸縮連結手段２５は、ゴムバンドやバネなどの伸縮性を有する部材（弾性部材）で構成されており、先端部材２４はプレーヤーＰの後身頃側のズボンに固定された固定具１７または基端部材２３に対して揺動（変位）自在な自由端を形成している。また伸縮連結手段２５は、基端部材２３と先端部材２４とを強固に連結すると共に、基端部材２３と先端部材２４とが所定の距離をあけて隣接する状態（中立状態）になるように保持している。よって、前記基端部材２３に対して先端部材２４が中立状態を超えて引っ張られた場合は、前記先端部材２４は伸縮連結手段２５による復元力を受けて中立状態に自動復帰する。
【００２４】
従って、前記ヘッドカバー保持具１にヘッドカバー２を取り付ける場合は、プレーヤーＰの後身頃側のズボンに固定された固定具１７を中心に揺動自在とされた前記先端部材２４（自由端）を持って、プレーヤーの体側面を差し渡すように回し込むことで、前記先端部材２４がプレーヤーＰの前身頃側に届くので、前身頃側でこの先端部材２４にヘッドカバー２を取り付けることができる。
一方、ヘッドカバー２の取り付けが済めば、手を離すだけで伸縮連結手段２５により前記先端部材２４がヘッドカバー２を係合したまま自動復帰し、後身頃側でヘッドカバー２を保管する。
【００２５】
図８に示されるように、第３実施形態のヘッドカバー保持具１は、上記第１実施形態の保持具本体９において、他端（自由端）側に係止具２７が設けられている。この係止具２７は第１実施形態の固定具１７と同様な構造を有するフック部材であって、保持具本体９の他端（自由端）をプレーヤーＰの前身頃側のベルトやベルト通し１６ｂに固定するために用いられる。
すなわち、第３実施形態のヘッドカバー保持具１は、プレーヤーＰの体側面を差し渡すように保持具本体９の他端（自由端）を前身頃側に回し込んだ状態で、係止具２７を前身頃側に係止し、保持具本体９の姿勢を固定できるようになっている。従って、例えばゴルフクラブ３を片手に持ったままでヘッドカバー２をヘッドカバー保持具１に取り付けるような場合に、先に係止具２７で保持具本体９の他端をプレーヤーＰの前身頃側に固定しておくと、片手でヘッドカバー２の取り外しが可能となり、操作性が良い。また前身頃側、後身頃側の区別なく離れたズボン通し１６の間に係止できて、プレーヤーＰの好みに合わせた位置合わせが可能となる。
【００２６】
本考案は前記実施形態における各部材の形状およびそれぞれの前後・左右・上下の位置関係は、図１〜図８に示すように構成することが最良である。しかし、前記実施形態に限定されるものではなく、部材、構成を種々変形したり、組み合わせを変更したりすることもできる。
前記ヘッドカバー２は図１〜３に示されるようなものが好ましいが、これらにヘッドカバー２の構造や形状が限定されることはなく、例えば市販のヘッドカバーに係合部１０を接着剤等で貼り付けてヘッドカバー２としても良い。また、ヘッドカバー保持具１に取り付けられるゴルフアイテムには、例えばグローブ、キャップ等の小物も含まれる。
【００２７】
なお、前記実施形態のヘッドカバー２ａにおいては、前記蓋部６ａの係止とヘッドカバー２ａの取付とに兼用できる係合部１０ａを有していたが、必ずしも係合部１０ａを兼用とする必要はなく、例えば蓋係止部１１ａと係合する係合部を別途ヘッドカバー２ａの外面に設けても良い。その際において、蓋部６ａの係止固定に用いる係合要素には、前記実施形態にあるような面ファスナー以外の係合要素、例えばスナップファスナー、スライドファスナーなどを用いることもできる。
なお、前記実施形態のヘッドカバー２ｂは、意匠性を高めるためにハート形に形成されていたが、ハート形以外の形状、例えば丸形、多角形、星形のような形状から、キャラクターを象ったマスコット形状としても良い。
【００２８】
なお、前記実施形態の係合部１０または蓋係止部１１を構成する雌雄係合要素は雌雄のいずれかであれば良く、どちらかに限定されるものではない。または、被係合部２２についても、前記係合部１０と雌雄が異なるものであれば良い。
前記保持具本体９の形状は前記実施形態では帯状に形成されていたが、帯状に限定されずに意匠性の高いその他の形状としても良いし、またこの保持具本体９を袋状としてボールやピンを収納可能としても良い。
前記固定具１７または係止具２７は、前記実施形態ではバネにより付勢されたフックとしていたが、付勢手段を有しない単なるフック部材やポケットやベルトに挿し込み固定できるような係止具を用いても良い。
【００２９】
前記実施形態では、帯状部２１のうら面に当て具１８を設けていたが、両面に被係合部２２を設けても良い。
【図面の簡単な説明】
【００３０】
【図１】パター用のヘッドカバーの斜視図である。
【図２】平面視略ハート形のパターに用いられるヘッドカバーの斜視図である。
【図３】ウッド用のヘッドカバーの斜視図である。
【図４】ヘッドカバーをヘッドカバー保持具に取り付けた使用状態を示す説明図である。
【図５】ヘッドカバー保持具の他端を前身頃側まで引っ張った状態を示す説明図である。
【図６】保持具本体の正面図である。
【図７】第２実施形態のヘッドカバー保持具の正面図である。
【図８】第３実施形態のヘッドカバー保持具の正面図である。
【符号の説明】
【００３１】
１    ヘッドカバー保持具
２    ヘッドカバー
３    ゴルフクラブ
４    ヘッド
９    保持具本体
１０  係合部
１７  固定具
２２  被係合部
２３  基端部材
２４  先端部材
２５  伸縮連結手段
２７  係止具
Ｐ    プレーヤー
【図１】
0003128053.tif 000003
【図２】
0003128053.tif 000004
【図３】
0003128053.tif 000005
【図４】
0003128053.tif 000006
【図５】
0003128053.tif 000007
【図６】
0003128053.tif 000008
【図７】
0003128053.tif 000009
【図８】
0003128053.tif 000010